(57)【要約】【課題】この発明は、真空断熱空間を備えた二重管を不要とし、現地据え付け工事における作業性を高め、かつ汎用性に優れた安価な冷媒流通配管用断熱具を得る。【解決手段】冷媒流通配管用断熱具１は、重ね合わされた矩形の第１および第２弾性シート２，３の外周部を枠状に、かつ気密に接合して作製された袋体４と、袋体４の相対する２辺を連結／分離するレールファスナー５と、袋体４に装着されて袋体４内に空気を導入するための逆止弁付きエアバルブと、を備えている。【選択図】図１
2009250452.tif 000002
【特許請求の範囲】
【請求項１】
重ね合わされた矩形の第１および第２弾性シートの外周部を枠状に、かつ気密に接合して作製された袋体と、
上記袋体の相対する２辺を連結／分離するファスナー部材と、
上記袋体に装着されて該袋体内に空気を導入するための逆止弁付きエアバルブと、
を備えたことを特徴とする冷媒流通配管用断熱具。
【請求項２】
上記ファスナー部材は、上記袋体の相対する２辺の一方の辺に沿って、該一方の辺の長さ方向の全長にわたって延在するように上記第１弾性シートの外表面に固着された凸条と、上記袋体の相対する２辺の他方の辺に沿って、該他方の辺の長さ方向の全長にわたって延在するように上記第２弾性シートの外表面に固着された凹溝条と、を備えたレールファスナーであることを特徴とする請求項１記載の冷媒流通配管用断熱具。
【請求項３】
上記凸条および上記凹溝条の一方が、上記一方の辺又は上記他方の辺の縁部に近接して当該辺の長さ方向の全長にわたって延在し、上記凸条および上記凹溝条の他方が、上記他方の辺又は上記一方の辺の縁部から所定距離離れて当該辺の長さ方向の全長にわたって延在していることを特徴とする請求項２記載の冷媒流通配管用断熱具。
【請求項４】
上記ファスナー部材は、上記袋体の相対する２辺の一方の辺に沿って、該一方の辺の長さ方向の全長にわたって延在するように上記第１弾性シートの外表面に固着されたフックタイプの面ファスナーと、上記袋体の相対する２辺の他方の辺に沿って、該他方の辺の長さ方向の全長にわたって延在するように上記第２弾性シートの外表面に固着されたループタイプの面ファスナーと、から構成されていることを特徴とする請求項１記載の冷媒流通配管用断熱具。
【発明の詳細な説明】
【技術分野】
【０００１】
この発明は、例えば空気調和機の室内機と室外機とを接続する連絡配管などの冷媒が流通する配管の断熱構造に用いられる冷媒流通配管用断熱具に関するものである。
【背景技術】
【０００２】
空気調和機の現地据え付け工事では、建屋の壁面に孔をあけ、この孔を貫通させたガス側連絡配管、液側連絡配管、および連絡配線によって室内機と室外機とが相互に接続される。この時、大きな孔をあけることは住宅の景観を損ねることから、連絡配管の口径の縮小化が望まれる。
【０００３】
このような観点から、従来の空気調和機では、冷媒が内部を流れる内管と内管の外周を覆う外管とが設けられ、内管と外管との間に減圧した真空断熱空間を有する二重管が、室内機と室外機とを接続する連絡配管の一部に用いられていた（例えば、特許文献１参照）。
【０００４】
【特許文献１】特開２００３−１５６２６７号公報
【発明の開示】
【発明が解決しようとする課題】
【０００５】
従来の二重管は、例えばステンレス鋼管からなる内管と外管とを同心状に配置し、内管と外管との間に密閉空間を形成するように一体化して作製されているので、制作費が高くなるという課題があった。また、従来の二重管は、予め現地の配管経路に合わせた形状に作製されるものであり、汎用性がなく、一層コスト増をもたらしていた。さらに、現場にて配管経路に合うように従来の二重管の形状を変形させることは困難であり、現地据え付け工事における作業性が低下してしまう。
【０００６】
この発明は、このような課題を解決するためになされたものであり、真空断熱空間を備えた二重管の使用を不要とし、現地据え付け工事における作業性を高め、かつ汎用性に優れた安価な冷媒流通配管用断熱具を得ることを目的とする。
【課題を解決するための手段】
【０００７】
この発明による冷媒流通配管用断熱具は、重ね合わされた矩形の第１および第２弾性シートの外周部を枠状に、かつ気密に接合して作製された袋体と、上記袋体の相対する２辺を連結／分離するファスナー部材と、上記袋体に装着されて該袋体内に空気を導入するための逆止弁付きエアバルブと、を備えている。
【発明の効果】
【０００８】
この発明では、袋体を冷媒流通配管に巻き付け、ファスナー部材により袋体の相対する２辺を連結して断熱具を冷媒流通配管に装着し、逆止弁付きエアバルブを介して袋体に空気を導入して冷媒流通配管の周りに空気層からなる断熱空間を形成できるので、真空断熱空間を有するステンレス鋼管からなる二重管と同等の断熱性能を確保することができる。そこで、そのような高価な二重管が不要となり、低コスト化が図られる。さらに、冷媒流通配管用断熱具は冷媒流通配管の形状に適合するように変形するので、優れた汎用性が得られる。
また、冷媒流通配管に単管を用いることができるので、現場での配管経路に合わせるための冷媒流通配管の曲げ加工が簡易となり、現地据え付け工事における作業性を向上させることができる。
【発明を実施するための最良の形態】
【０００９】
以下、本発明の実施の形態を図面に基づいて説明する。
実施の形態１．
図１はこの発明の実施の形態１に係る冷媒流通配管用断熱具を示す斜視図、図２はこの発明の実施の形態１に係る冷媒流通配管用断熱具の要部を示す破断斜視図、図３はこの発明の実施の形態１に係る冷媒流通配管用断熱具の要部を示す破断斜視図、図４はこの発明の実施の形態１に係る冷媒流通配管用断熱具の要部を示す破断斜視図である。
【００１０】
図１乃至図４において、冷媒流通配管用断熱具１は、重ね合わされた矩形状の第１および第２弾性シート２，３の外周部を枠状に熱融着などにより気密に接合して密閉状態に作製された矩形状の袋体４と、袋体４の相対する２辺同士を連結／分離するファスナー部材としてのレールファスナー５と、枠状の接合部８を貫通して配設され、袋体４に空気を導入する逆止弁付きエアバルブ９と、を備えている。
【００１１】
第１および第２弾性シート２，３は、天然ゴム、クロロプレンゴム、スチレン・ブタジエン・ゴムなどのゴム材料、ポリウレタン樹脂などの合成樹脂材料などをシート状に成形して作製されている。
レールファスナー５は、雌片の凹溝条６と、凹溝条６に嵌着される雄片の凸条７と、から構成される。凹溝条６は、袋体４の相対する２辺の一方の辺の縁部から距離ｄだけ離間して、かつ一方の辺の長さ方向の全長にわたって延在するように第１弾性シート２の外表面に接合されている。凸条７は、袋体４の相対する２辺の他方の縁部に近接して、かつ他方の辺の長さ方向の全長にわたって延在するように第２弾性シート３の外表面に接合されている。
逆止弁付きエアバルブ９は、バルブ本体１０と、バルブ本体１０の袋体４内への挿入端に装着された逆止弁としてのムシ１１と、から構成されている。
【００１２】
つぎに、このように構成された冷媒流通配管用断熱具１を空気調和機の冷媒流通配管の断熱具として用いる場合について説明する。ここでは、図５乃至図７を参照しつつ、空気調和機の据え付け方法について説明する。なお、空気調和機のガス側連絡配管および液側連絡配管が冷媒流通配管に相当する。
【００１３】
まず、建屋の壁面２０には、円形の貫通孔２１が形成される。そして、袋体４が空気を抜かれ、第２弾性シート３の外表面をガス側連絡配管２２の外周面に沿わせてガス側連絡配管２２に巻き付けられる。そして、凸条７を凹溝条６に嵌着して、環状に連結された袋体４がガス側連絡配管２２に装着される。同様に、環状に連結された袋体４が液側連絡配管２３に装着される。なお、ガス側および液側連絡配管２２，２３の両端には、継ぎ手２４，２５が溶接などにより同軸に固着されている。
【００１４】
ついで、袋体４が装着されたガス側および液側連絡配管２２，２３を、室外側から貫通孔２１に挿入する。そして、図示されていないが、室内機から延びる室内機ガス側連絡配管および室内機液側連絡配管の先端を、室内側の継ぎ手２４に接続し、室内機を壁面２０に固定する。
また、図示されていないが、室外機から延びる室外機ガス側連絡配管および室外機液側連絡配管の先端を、室外側の継ぎ手２５に接続する。ついで、室内機から延びる調湿ホース２６や室内外連絡配線２７を、貫通孔２１を通して室外に引き出し、室外機に接続する。さらに、室内機から延びるドレンホース２８を、貫通孔２１を通して室外に引き出す。
なお、室内機ガス側連絡配管および室内機液側連絡配管、および室外機ガス側連絡配管および室外機液側連絡配管には、断熱材が巻装されている。
【００１５】
ついで、空気をエアバルブ９のバルブ本体１０を介して袋体４に圧送し、袋体４を膨張させる。空気の圧送を止めると、ムシ１１がつぶれ、空気の漏れが防止される。これにより、第２弾性シート３の外表面がガス側および液側連絡配管２２，２３の外周面に密接し、空気層１２がガス側および液側連絡配管２２，２３を取り囲むリング状に形成される。そして、必要に応じ、ガス側および液側連絡配管２２，２３、調湿ホース２６、室内外連絡配線２７、ドレンホース２８などをまとめてテープで巻回し、貫通孔２１内にパテを充填する仕上げ作業が行われ、空気調和機の据え付けが完了する
【００１６】
このように、本冷媒流通配管用断熱具１を用いた断熱構造では、空気層１２がガス側および液側連絡配管２２，２３を取り囲むリング状に形成され、断熱空間として機能するので、従来と同様の断熱性能を実現できる。
【００１７】
この実施の形態１では、冷媒流通配管用断熱具１が、重ね合わされた矩形の第１および第２弾性シート２，３の外周部を枠状に、かつ気密に接合して作製された袋体４と、袋体４の相対する２辺を連結／分離するレールファスナー５と、逆止弁付きエアバルブ９と、を備えているので、ステンレス鋼管の二重管構造の従来例に比べて、著しく廉価に作製できる。
【００１８】
また、空気を抜いた袋体４をガス側および液側連絡配管２２，２３に巻き付け、レールファスナー５で袋体４の相対する２辺を連結することで装着でき、レールファスナー５の凹溝条６と凸条７との嵌着を解除することで外すことができるので、冷媒流通配管用断熱具１の装着作業性が向上される。また、環状に連結された袋体４に空気を圧入して膨張させた場合、袋体４は、ガス側および液側連絡配管２２，２３の形状に適合するように膨張し、ガス側および液側連絡配管２２，２３の外周面に密接するので、優れた汎用性が得られる。また、ガス側および液側連絡配管２２，２３を単管で作製でき、現場で配管経路に合わせるためのガス側および液側連絡配管２２，２３の曲げ加工が容易となり、現地据え付け工事における作業性が高められる。
【００１９】
また、貫通孔２１に通されたガス側および液側連絡配管２２，２３には、空気を抜いた袋体４が装着されているので、貫通孔２１内の空きスペースが大きくなり、調湿ホース２６、室内外連絡配線２７、ドレンホース２８などの挿入が容易となる。また、調湿ホース２６、室内外連絡配線２７、ドレンホース２８などの挿入後、袋体４に空気を圧入することにより、貫通孔２１内の空きスペースが縮小され、貫通孔２１を塞口する仕上げ作業が簡易となる。さらに、大きな貫通孔２１をあける必要がなく、住宅の景観を損ねることもない。
【００２０】
また、ファスナー部材が、第１弾性シート２の外表面に固着された凹溝条６と、第２弾性シート３の外表面に固着された凸条７と、からなるレールファスナー５で構成されているので、袋体４の連結・分離を簡易に行える。
【００２１】
また、凹溝条６が袋体４の相対する２辺の一方の辺の縁部から所定距離ｄだけ離反して、かつその一方の辺に沿って一方の辺の長さ方向の全長にわたって延在するように第１弾性シート２の外表面に固定されている。一方、凸条７が袋体４の相対する２辺の他方の辺の縁部に近接して、かつその他方の辺に沿って他方の辺の長さ方向の全長にわたって延在するように第２弾性シート３の外表面に固定されている。そこで、ガス側および液側連絡配管２２，２３に装着された環状に連結された袋体４に空気を圧送すると、レールファスナー５の連結部では、図７に示されるように、第１弾性シート２の外表面と第２弾性シート３の外表面とが密接し、袋体４の相対する２辺の端部側の空気層１２が径方向に重なり合う。これにより、空気層１２がガス側および液側連絡配管２２，２３の全周にわたって形成されるので、断熱性能が高められる。
【００２２】
ここで、冷媒流通配管用断熱具１が空気調和機のガス側および液側連絡配管２２，２３の断熱具として適用される場合、空気調和機の運転時の冷媒の温度を考慮し、第１および第２弾性シート２，３には、１５０℃以上の耐熱性、−１５℃以下の耐寒性を満足する材料を選定することが望ましい。
【００２３】
実施の形態２．
上記実施の形態１では、ファスナー部材として、凹溝条６と凸条７とからなるレールファスナー５を用いるものとしているが、この実施の形態２では、ファスナー部材として、面ファスナーを用いている。
つまり、微小なカギ状のフックタイプの面ファスナーを、袋体４の相対する２辺の一方の辺に沿って一方の辺の長さ方向の全長にわたって延在するように第１弾性シート２の外表面に固定する。また、ループタイプの面ファスナーを、袋体４の相対する２辺の他方の辺に沿って他方の辺の長さ方向の全長にわたって延在するように第２弾性シート３の外表面に固定する。
【００２４】
そこで、この実施の形態２では、袋体４が空気を抜かれ、第２弾性シート３の外表面をガス側連絡配管２２の外周面に沿わせてガス側連絡配管２２に巻き付け、面ファスナー同士を押し当てることで、環状に連結された袋体４をガス側連絡配管２２に装着できる。そして、袋体４に空気を圧送して膨張させると、面ファスナー同士の連結部では、第１弾性シート２の外表面と第２弾性シート３の外表面とが密接し、袋体４の相対する２辺の端部側の空気層１２が径方向に重なり合う。
従って、この実施の形態２においても、上記実施の形態１と同様の効果が得られる。
【図面の簡単な説明】
【００２５】
【図１】この発明の実施の形態１に係る冷媒流通配管用断熱具を示す斜視図である。
【図２】この発明の実施の形態１に係る冷媒流通配管用断熱具の要部を示す破断斜視図である。
【図３】この発明の実施の形態１に係る冷媒流通配管用断熱具の要部を示す破断斜視図である。
【図４】この発明の実施の形態１に係る冷媒流通配管用断熱具の要部を示す破断斜視図である。
【図５】この発明の実施の形態１に係る冷媒流通配管用断熱具を用いた空気調和機の建屋の壁面に形成された貫通孔に配置された連絡配管を示す断面図である。
【図６】この発明の実施の形態１に係る冷媒流通配管用断熱具を用いた空気調和機の建屋の壁面に形成された貫通孔内の配管類の配置状態を示す模式図である。
【図７】この発明の実施の形態１に係る冷媒流通配管用断熱具を用いた連絡配管の断熱構造を説明する断面図である。
【符号の説明】
【００２６】
１  冷媒流通配管用断熱具、２  第１弾性シート、３  第２弾性シート、４  袋体、５  レールファスナー（ファスナー部材）、６  凹溝条、７  凸条、８  接合部、９  逆止弁付きエアバルブ、１０  バルブ本体、１１  ムシ（逆止弁）。
【図１】
2009250452.tif 000003
【図２】
2009250452.tif 000004
【図３】
2009250452.tif 000005
【図４】
2009250452.tif 000006
【図５】
2009250452.tif 000007
【図６】
2009250452.tif 000008
【図７】
2009250452.tif 000009